(57)【要約】【課題】水着のデザイン性や利用者の容姿を損ねることなく、耳栓の紛失を防止することができる耳栓ケースを提供すること。【解決手段】本発明の耳栓ケース１０は、内部に耳栓を収納するための収納部１と、収納部１を覆う蓋部２と、収納部１及び蓋部２に接続され、収納部１に対して蓋部２を開閉可能にするための連結部３Ａ、３Ｂと、収納部１及び蓋部２の連結部３Ａ、３Ｂ以外の部分に設けられ、蓋部２が閉じられたときに蓋部２を収納部１にロックするためのロック部４Ａ、４Ｂと、収納部１に設けられ、ゴーグルのバンドに脱着可能な取付部５とを具備している。【選択図】図３Ｂ
2012187369.tif 000002
【特許請求の範囲】
【請求項１】
内部に耳栓を収納するための収納部と、
前記収納部を覆う蓋部と、
前記収納部及び前記蓋部に接続され、前記収納部に対して前記蓋部を開閉可能にするための連結部と、
前記収納部及び前記蓋部の前記連結部以外の部分に設けられ、前記蓋部が閉じられたときに前記蓋部を前記収納部にロックするためのロック部と、
前記収納部に設けられ、ゴーグルのバンドに脱着可能な取付部と
を具備する耳栓ケース。
【請求項２】
前記取付部は、
突起部と、
前記収納部の底面部に対面して設けられ、一端に前記突起部が接続されたバンド支持部と、
前記収納部の底面部に対して垂直に設けられ、一端が前記バンド支持部の他端に接続され、他端が前記収納部の底面部に接続された取付支持部と
を有し、
前記バンド支持部と前記収納部の底面部との距離は、前記ゴーグルの前記バンドの厚みに対応し、前記バンド支持部の長さは、前記バンドの幅に対応し、
前記突起部と前記収納部の底面部との距離は、前記バンド支持部と前記収納部の底面部との距離よりも短い
請求項１に記載の耳栓ケース。
【請求項３】
前記収納部及び前記蓋部には、水上で前記収納部内の水を流し落とすための貫通孔が設けられている
請求項２に記載の耳栓ケース。
【請求項４】
前記バンド支持部は、互いに離れて前記収納部の底面部に対面して複数設けられ、
前記収納部の底面部の前記突起部と前記バンド支持部とに対面する部分には、前記貫通孔として、利用者が前記バンドを前記突起部と前記収納部の底面部との間から前記バンド支持部と前記収納部の底面部との間にスライドさせて誘導するためのスライド誘導用貫通孔が設けられている
請求項３に記載の耳栓ケース。
【発明の詳細な説明】
【技術分野】
【０００１】  本発明は、水泳で使用される耳栓を収納する耳栓ケースに関する。
【背景技術】
【０００２】  海水浴場やプールなどの場所で泳ぐ場合、耳に水が入ることがある。それを気にする人は耳栓を装着することがある。【０００３】  一方、そのような場所で泳がないときは耳栓を装着する必要がない。あるいは、泳いでいなくても水上で頭を出しているときに会話をするために耳栓を外すこともある。【０００４】  ところが、耳栓を装着しないで手で持っているうちに、どこかに置き忘れてしまったり落としたりしてしまうことがある。その結果、耳栓を紛失してしまう。【０００５】  耳栓を紛失してしまう理由として、泳ぐときは水着姿であるため、上記の場所で泳いでいないときには耳栓の所持に困るからである。耳栓はケースに入れられて販売されていることが多いが、泳ぐときにはケースが邪魔になってしまう。【０００６】  そこで、耳栓を入れるための袋などを水着に縫い付けたり、それを自身に紐などを使って身に付けたりすることにより、耳栓の紛失を防止することができる。しかし、水着を体型に合わせて使用しているにも関わらず、袋のようなものを水着や体に身に付けることは、水着のデザイン性や利用者の容姿を損ねてしまう。【０００７】  ここで、耳栓ケースに関連する技術を紹介する。【０００８】  非特許文献１には、携帯用耳栓ケースが記載されている。この携帯用耳栓ケースにはストラップなどが通せるリングが設けられている。これにより、耳栓の紛失を防止することができる。
【先行技術文献】
【非特許文献】
【０００９】
【非特許文献１】“携帯用耳栓ケース”、［ｏｎｌｉｎｅ］、耳せん屋．ｃｏｍ、［平成２３年２月２３日検索］、インターネット＜ＵＲＬ：ｈｔｔｐ：／／ｍｉｍｉｓｅｎ−ｙａ．ｃｏｍ／？ｐｉｄ＝１３１９８９２１＞
【発明の概要】
【発明が解決しようとする課題】
【００１０】  非特許文献１に記載された技術では、耳栓ケースにリングが付いているが、そのリングにストラップ、即ち、紐を通すことになる。この場合、紐を水着に縫い付けたり自身に身に付けたりすることになる。そのため、水着のデザイン性や利用者の容姿を損ねてしまう。【００１１】  従って、本発明の課題は、水着のデザイン性や利用者の容姿を損ねることなく、耳栓の紛失を防止することができる耳栓ケースを提供することである。
【課題を解決するための手段】
【００１２】  以下に、発明を実施するための形態で使用される符号を括弧付きで用いて、課題を解決するための手段を記載する。この符号は、特許請求の範囲の記載と発明を実施するための形態の記載との対応を明らかにするために付加されたものである。【００１３】  本発明の耳栓ケース（１０）は、内部に耳栓（２１、２２）を収納するための収納部（１）と、前記収納部（１）を覆う蓋部（２）と、前記収納部（１）及び前記蓋部（２）に接続され、前記収納部（１）に対して前記蓋部（２）を開閉可能にするための連結部（３Ａ、３Ｂ）と、前記収納部（１）及び前記蓋部（２）の前記連結部（３Ａ、３Ｂ）以外の部分に設けられ、前記蓋部（２）が閉じられたときに前記蓋部（２）を前記収納部（１）にロックするためのロック部（４Ａ、４Ｂ）と、前記収納部（１）に設けられ、ゴーグル（１００）のバンド（１０３）に脱着可能な取付部（５）とを具備している。【００１４】  本発明の耳栓ケース（１０）において、前記取付部（５）は、突起部（５Ａ）と、前記収納部（１）の底面部に対面して設けられ、一端に前記突起部（５Ａ）が接続されたバンド支持部（５Ｂ）と、前記収納部（１）の底面部に対して垂直に設けられ、一端が前記バンド支持部（５Ｂ）の他端に接続され、他端が前記収納部（１）の底面部に接続された取付支持部（５Ｃ）とを有している。前記バンド支持部（５Ｂ）と前記収納部（１）の底面部との距離は、前記ゴーグル（１００）の前記バンド（１０３）の厚みに対応し、前記バンド支持部（５Ｂ）の長さは、前記バンド（１０３）の幅に対応している。前記突起部（５Ａ）と前記収納部（１）の底面部との距離は、前記バンド支持部（５Ｂ）と前記収納部（１）の底面部との距離よりも短い。【００１５】  本発明の耳栓ケース（１０）において、前記収納部（１）及び前記蓋部（２）には、水上で前記収納部（１）内の水を流し落とすための貫通孔（６、７、８）が設けられている。【００１６】  本発明の耳栓ケース（１０）において、前記バンド支持部（５Ｂ）は、互いに離れて前記収納部（１）の底面部に対面して複数設けられている。前記収納部（１）の底面部の前記突起部（５Ａ）と前記バンド支持部（５Ｂ）とに対面する部分には、前記貫通孔として、利用者が前記バンド（１０３）を前記突起部（５Ａ）と前記収納部（１）の底面部との間から前記バンド支持部（５Ｂ）と前記収納部（１）の底面部との間にスライドさせて誘導するためのスライド誘導用貫通孔（８）が設けられている。
【発明の効果】
【００１７】  本発明によれば、耳栓ケース（１０）に取付部（５）を設けていることにより、耳栓ケース（１０）をゴーグル（１００）のバンド（１０３）に脱着可能であり、水着に縫い付けたり自身に身に付けたりする必要はない。これにより、本発明は、耳栓ケース（１０）をゴーグル（１００）のバンド（１０３）に装着することにより、水着のデザイン性や利用者の容姿を損ねることなく、耳栓（２１、２２）の紛失を防止することができる。【００１８】  また、本発明によれば、耳栓ケース（１０）をゴーグル（１００）のバンド（１０３）に脱着可能であるため、利用者が耳栓（２１、２２）を耳栓ケース（１０）に収納した状態で、耳栓ケース（１０）をゴーグル（１００）に取り付けたまま、移動することができる。【００１９】  また、本発明によれば、耳栓ケース（１０）に貫通孔（６〜８）を設けていることにより、利用者が泳いだ後に水上で収納部（１）内の水を流し落とすことができる。【００２０】  また、本発明によれば、耳栓ケース（１０）を水着に縫い付けたり自身に身に付けたりする必要はない上に、耳栓ケース（１０）に貫通孔（６〜８）を設けていることにより、利用者が泳ぐときに水の抵抗を受けにくい。【００２１】  本発明によれば、耳栓ケース（１０）に取付部（５）とスライド誘導用貫通孔（８）とを設けていることにより、ゴーグル（１００）のバンド（１０３）を耳栓ケース（１０）にスライドさせて脱着することができる。これにより、本発明は、耳栓ケース（１０）をゴーグル（１００）のバンド（１０３）に容易に脱着することができる。
【図面の簡単な説明】
【００２２】
【図１】図１は、本発明の実施形態による耳栓ケース１０とそれに使用されるゴーグル１００を示す斜視図である。
【図２Ａ】図２Ａは、本発明の実施形態による耳栓ケース１０の構成を示し、蓋部２が閉じられた状態を示す正面図である。
【図２Ｂ】図２Ｂは、図２ＡをＡ方向からみたときの側面図である。
【図２Ｃ】図２Ｃは、本発明の実施形態による耳栓ケース１０の構成を示し、蓋部２が閉じられた状態を示す上面図である。
【図２Ｄ】図２Ｄは、本発明の実施形態による耳栓ケース１０の構成を示し、蓋部２が閉じられた状態を示す底面図である。
【図３Ａ】図３Ａは、本発明の実施形態による耳栓ケース１０の構成を示し、蓋部２が開けられた状態を示す上面図である。
【図３Ｂ】図３Ｂは、図３ＡをＡ方向からみたときの側面図である。
【図４Ａ】図４Ａは、本発明の実施形態による耳栓ケース１０をゴーグル１００に脱着するときの側面図である。
【図４Ｂ】図４Ｂは、本発明の実施形態による耳栓ケース１０をゴーグル１００に脱着するときの側面図である。
【図４Ｃ】図４Ｃは、本発明の実施形態による耳栓ケース１０をゴーグル１００に脱着するときの側面図である。
【発明を実施するための形態】
【００２３】  以下に添付図面を参照して、本発明の実施形態による耳栓ケースについて詳細に説明する。
【００２４】  図１に示されるように、本発明の耳栓ケース１０は、水泳用のゴーグル１００に使用される。
【００２５】  そのゴーグル１００は、左右のレンズを有するレンズ部１０１、１０２と、バンド１０３とを備えている。
【００２６】  レンズ部１０１、１０２は、利用者が水中で目視可能であり、利用者の目を水から保護するために用いられる。
【００２７】  バンド１０３は、レンズ部１０１、１０２を固定している。また、バンド１０３は、利用者の頭に装着できるように、例えば、ゴムのような伸び縮み自在な材料が用いられている。
【００２８】  耳栓ケース１０は樹脂又はゴムにより形成されている。
【００２９】  図２Ａ〜２Ｄ、３Ａ、３Ｂに示されるように、耳栓ケース１０は、収納部１と、蓋部２と、連結部３Ａ、３Ｂと、ロック部４Ａ、４Ｂと、取付部５とを具備している。
【００３０】  収納部１は、図２Ａ〜２Ｄに示されるように、底面部と底面部に接続された側面部とを有している。この構成により、収納部１は、図３Ａ、３Ｂに示されるように、内部に耳栓２１、２２を収納可能である。
【００３１】  蓋部２は、図２Ａ〜２Ｄに示されるように、底面部と底面部に接続された側面部とを有している。この構成により、蓋部２は、耳栓２１、２２と共に、収納部１を覆うことができる。
【００３２】  連結部３Ａ、３Ｂは、図２Ｂ〜２Ｄ、３Ａ、３Ｂに示されるように、収納部１の側面部及び蓋部２の側面部に接続され、収納部１に対して蓋部２を開閉可能にする。
【００３３】  連結部３Ａ、３Ｂは、例えば、折り畳み携帯電話機で用いられるようなヒンジ構造である。具体的には、連結部３Ｂは、収納部１の側面部に接続され、連結部３Ａは、蓋部２の側面部に接続されている。連結部３Ａ、３Ｂは軸線により連結され、連結部３Ａは連結部３Ｂを軸にして回転する。
【００３４】  しかし、ヒンジ構造に限らず、収納部１に対して蓋部２を開閉可能にすることができれば、どのような構造でもよい。
【００３５】  ロック部４Ａ、４Ｂは、図２Ａ〜２Ｄ、３Ａ、３Ｂに示されるように、収納部１及び蓋部２の側面部の連結部３が接続された部分以外の部分に設けられ、蓋部２が閉じられたときに蓋部２を収納部１にロックする。
【００３６】  具体的には、ロック部４Ａは、収納部１の側面部の連結部３が接続された面に接しない面に設けられた突起形状である。ロック部４Ｂは、蓋部２の側面部の連結部３が接続された面に接しない面に設けられ、ロック部４Ａを引っ掛けて蓋部２を収納部１にロックするための開口部が設けられている。
【００３７】  しかし、これに限定されず、ボタン形状でもよく、蓋部２が閉じられたときに蓋部２を収納部１にロックすることができれば、連結部３Ａ、３Ｂはどのような構造でもよい。
【００３８】  取付部５は、収納部１の底面部に設けられ、ゴーグル１００のバンド１０３に脱着可能である。例えば、取付部５は、図２Ａ、２Ｂ、２Ｄ、３Ｂに示されるように、収納部１の底面部の中央部分に設けられている。
【００３９】  具体的には、取付部５は、突起部５Ａと２つのバンド支持部５Ｂと取付支持部５Ｃとを有している。２つのバンド支持部５Ｂは、互いに離れて収納部１の底面部に対面して設けられ、一端に突起部５Ａが接続されている。支持部５Ｃは、収納部１の底面部に対して垂直に設けられ、一端が２つのバンド支持部５Ｂの他端に接続され、他端が収納部１の底面部に接続されている。
【００４０】  ２つのバンド支持部５Ｂと収納部１の底面部との距離は、ゴーグル１００のバンド１０３の厚みに対応し、２つのバンド支持部５Ｂの各々の長さは、バンド１０３の幅に対応している。突起部５Ａと収納部１の底面部との距離は、２つのバンド支持部５Ｂと収納部１の底面部との距離よりも短い。
【００４１】  収納部１及び蓋部２には、水上で収納部１内の水を流し落とすための貫通孔が設けられている。例えば、蓋部２には、第１の貫通孔６が設けられ、収納部１には、第２の貫通孔７と第３の貫通孔８とが設けられている。
【００４２】  具体的には、図２Ａ〜２Ｃ、３Ａ、３Ｂに示されるように、蓋部２の底面部には、第１の貫通孔６が複数設けられている。図２Ｄ、３Ａに示されるように、収納部１の底面部の取付部５の２つのバンド支持部５Ｂに対面しない部分には、第２の貫通孔７が複数設けられている。収納部１の底面部の突起部５Ａと２つのバンド支持部５Ｂとに対面する部分には、第３の貫通孔８が設けられている。
【００４３】  突起部５Ａと収納部１の底面部との距離がバンド１０３の厚みよりも短いにも関わらず、収納部１の底面部に第３の貫通孔８が設けられていることにより、図４Ａ、４Ｂ、４Ｃに示されるように、利用者がバンド１０３を、突起部５Ａと収納部１の底面部との間から、２つのバンド支持部５Ｂと収納部１の底面部との間にスライドさせて誘導することができる。同様に、図４Ｃ、４Ｂ、４Ａに示されるように、利用者がバンド１０３を、２つのバンド支持部５Ｂと収納部１の底面部との間から、突起部５Ａと収納部１の底面部との間にスライドさせて誘導することができる。
【００４４】  また、収納部１の底面部に貫通孔８が設けられているにも関わらず、収納部１の底面部の２つのバンド支持部５Ｂ間の部分が設けられていることにより、図１、４Ａ〜４Ｃに示されるように、利用者がバンド１０３を２つのバンド支持部５Ｂと収納部１の底面部との間に誘導したときに、収納部１の底面部の２つのバンド支持部５Ｂ間の部分と、突起部５Ａと、取付支持部５Ｃとがバンド１０３を固定することができる。
【００４５】  しかし、これに限定されず、ゴーグル１００のバンド１０３に脱着可能であれば、取付部５はどのような構造でもよい。
【００４６】  本発明の実施形態による耳栓ケース１０の効果について説明する。
【００４７】  本発明によれば、耳栓ケース１０に取付部５を設けていることにより、耳栓ケース１０をゴーグル１００のバンド１０３に脱着可能であり、水着に縫い付けたり自身に身に付けたりする必要はない。これにより、本発明は、耳栓ケース１０をゴーグル１００のバンド１０３に装着することにより、水着のデザイン性や利用者の容姿を損ねることなく、耳栓２１、２２の紛失を防止することができる。
【００４８】  また、本発明によれば、耳栓ケース１０をゴーグル１００のバンド１０３に脱着可能であるため、利用者が耳栓２１、２２を耳栓ケース１０に収納した状態で、耳栓ケース１０をゴーグル１００に取り付けたまま、移動することができる。
【００４９】  また、本発明によれば、耳栓ケース１０に第１〜３の貫通孔６〜８を設けていることにより、利用者が泳いだ後に水上で収納部１内の水を流し落とすことができる。
【００５０】  また、本発明によれば、耳栓ケース１０を水着に縫い付けたり自身に身に付けたりする必要はない上に、耳栓ケース１０に第１〜３の貫通孔６〜８を設けていることにより、利用者が泳ぐときに水の抵抗を受けにくい。
【００５１】  本発明によれば、耳栓ケース１０に取付部５と第３の貫通孔８とを設けていることにより、ゴーグル１００のバンド１０３を耳栓ケース１０にスライドさせて脱着することができる。これにより、本発明は、耳栓ケース１０をゴーグル１００のバンド１０３に容易に脱着することができる。
【符号の説明】
【００５２】    １    収納部、
２    蓋部、
３Ａ、３Ｂ    連結部、
４Ａ、４Ｂ    ロック部、
５    取付部、
５Ａ    突起部、
５Ｂ    バンド支持部、
５Ｃ    取付支持部、
６    第１の貫通孔、
７    第２の貫通孔、
８    第３の貫通孔、
１０    耳栓ケース、
２１、２２    耳栓、
１００    ゴーグル、
１０１、１０２    レンズ部、
１０３    バンド
【図１】
2012187369.tif 000003
【図２Ａ】
2012187369.tif 000004
【図２Ｂ】
2012187369.tif 000005
【図２Ｃ】
2012187369.tif 000006
【図２Ｄ】
2012187369.tif 000007
【図３Ａ】
2012187369.tif 000008
【図３Ｂ】
2012187369.tif 000009
【図４Ａ】
2012187369.tif 000010
【図４Ｂ】
2012187369.tif 000011
【図４Ｃ】
2012187369.tif 000012